(57)【特許請求の範囲】
【請求項１】
開方向に延出した板状の係止スプリングを扉体に設け、該係止スプリングの先端部に下方に突出する係止部を設け、開閉レールの終端部に係止ブロックを設け、該係止ブロックが開方向と平行な平行部を具備し、前記係止部が上方に撓んで前記平行部に乗上げ、該平行部を摺動可能であると共に前記係止ブロックの終端側端に係止可能なことを特徴とするスライドドアのロック装置。
【請求項２】
係止ブロックが合成樹脂製である請求項１のスライドドアのロック装置。
【請求項３】
係止ブロックが板金製である請求項１のスライドドアのロック装置。
【請求項４】
係止ブロックの終端部に下降傾斜面を形成した請求項１〜請求項３のうちいずれか１つのスライドドアのロック装置。
【請求項５】
係止ブロックが平行部と該平行部の両端に設けられたローラにより構成される請求項１のスライドドアのロック装置。
【発明の詳細な説明】
【０００１】
【産業上の利用分野】
本発明は、スライドドアの開放状態を維持するスライドドアのロック装置に関するものである。
【０００２】
【従来の技術】
図８、図９に於いて従来のスライドドアのロック装置について説明する。
【０００３】
出入り口のまぐさに沿って開閉レール１が設けられ、該開閉レール１に扉体２がローラ３を介して懸架されている。該ローラ３はブラケット４により前記扉体２の上端に回転自在に固着されている。前記扉体２は開位置でロック装置５により係止される。図８中、６は戸袋、７はレールカバーである。図９によりロック装置５を説明する。
【０００４】
開閉レール１の開放側端部（終端部）にストッパ固定金具８を固着し、該ストッパ固定金具８のブラケット４に対峙する面にゴム等の高弾性材料のストッパ９を固着し、前記ストッパ固定金具８の上面にはローラ保持具１０を介してローラ１１が回転自在に設けられている。
【０００５】
前記ブラケット４のストッパ固定金具８に対峙する面には係止スプリング１２が固着されている。該係止スプリング１２は前記ローラ１１方向に延出し、先端部がＶ字状に屈曲されている。
【０００６】
図９は扉体２がロック装置５により全開位置に係止されている状態を示しており、閉状態から扉体２を図中右方にスライドさせると、全開位置直前で前記係止スプリング１２が前記ローラ１１に乗上げ、更に乗越す。又、ブラケット４は前記ストッパ９に当接する。該ストッパ９は前記扉体２の衝突時の衝撃を緩和し、前記係止スプリング１２は弾性力によりローラ１１との間で係止力を発揮し、扉体２が跳返り、閉方向に移動するのを抑止する。
【０００７】
図９の状態から扉体２を閉鎖するには、該扉体２に係止スプリング１２の係止力以上の力で前記扉体２を図中左方に移動させればよい。
【０００８】
【発明が解決しようとする課題】
然し乍ら上記従来のスライドドアのロック装置では、扉体２が勢いよく開かれると扉体２の衝突時の反動で跳返り、扉体２が閉じてしまうという問題があった。
【０００９】
本発明は斯かる実情に鑑み、扉体が跳返って閉じないスライドドアのロック装置を提供しようとするものである。
【００１０】
【課題を解決するための手段】
本発明は、開方向に延出した板状の係止スプリングを扉体に設け、該係止スプリングの先端部に下方に突出する係止部を設け、開閉レールの終端部に係止ブロックを設け、該係止ブロックが開方向と平行な平行部を具備し、前記係止部が上方に撓んで前記平行部に乗上げ、該平行部を摺動可能であると共に前記係止ブロックの終端側端に係止可能なことを特徴とするとするものであり、更に係止ブロックが合成樹脂製であり、或は係止ブロックが板金製であり、或は係止ブロックの終端部に下降傾斜面を形成し、或は係止ブロックが平行部と該平行部の両端に設けられたローラにより構成されるものである。
【００１１】
【作用】
扉体の全開位置近傍で係止部が平坦部と摺動することで扉体の勢いが減じられ、又全開位置で係止部と係止ブロックが係合し、開状態が保持される。
【００１２】
【実施例】
以下、図面を参照しつつ本発明の一実施例を説明する。
【００１３】
図１中、図９中で示したものと同一ものものには同符号を付してある。
【００１４】
開閉レール１に扉体２がローラ３を介して懸架され、該ローラ３はブラケット４により前記扉体２の上端に回転自在に固着されている。前記開閉レール１の終端部にストッパ固定金具８を固着し、該ストッパ固定金具８のブラケット４に対峙する面にゴム等の高弾性材料のストッパ９を固着し、前記ストッパ固定金具８の上面には合成樹脂製、好ましくは自己潤滑性を有する合成樹脂製の係止ブロック１３を固着する。
【００１５】
該係止ブロック１３は図２、図３に示される様に、ブラケット４側の上角部が円筒曲面１３ａに形成され、該円筒曲面１３ａに連続して下面と平行で長さＬを有する平行部１３ｂ、更に該平行部１３ｂに連続して下降傾斜面１３ｃが形成され、該下降傾斜面１３ｃの終端はＲ仕上げされている。
【００１６】
前記ブラケット４のストッパ固定金具８に対峙する面には係止スプリング１４が固着されている。該係止スプリング１４は扉体２の開方向に延出し、先端部が折返され、更に折返された部分は下方にＶ字状に突出し係止部１５を形成する。
【００１７】
以下、作動を説明する。
【００１８】
閉状態から扉体２を図中右方にスライドさせると、全開位置直前で前記係止スプリング１４の係止部１５が係止ブロック１３に当接して急激に押上げられる。係止部１５が係止ブロック１３の円筒曲面１３ａを乗上げ、平行部１３ｂ上を摺動する。係止スプリング１４は乗上げた分だけ上方へ撓み、係止部１５は平行部１３ｂに押圧され、平行部１３ｂと係止部１５間で所要の摩擦力が発生する。従って、係止ブロック１３に対する係止スプリング１４の摺動で扉体２の勢いが減じられる。
【００１９】
前記係止部１５が平行部１３ｂ、下降傾斜面１３ｃを通過すると係止スプリング１４は下方に復帰して、前記係止部１５が係止ブロック１３の端縁に係止される。又、前記係止部１５が平行部１３ｂ、下降傾斜面１３ｃを通過した時点でブラケット４が前記ストッパ９に当接する。而して、係止スプリング１４と係止ブロック１３間で係止力が発生して扉体２を全開位置に保持する。
【００２０】
次に扉体２を閉じる場合は、該扉体２に係止スプリング１４と係止ブロック１３との係止力以上の力を前記扉体２に作用させればよく、係止ブロック１３の反ブラケット４側には下降傾斜面１３ｃが形成されているので、扉体２を閉じ初める力は比較的軽くてよい。
【００２１】
尚、扉体２の重量、開閉速度等に合わせて前記平行部１３ｂの長さＬ、或は係止スプリング１４の板厚等適宜決定すればよい。
【００２２】
図４〜図６は他の実施例を示しており、該他の実施例では係止ブロック１３を金属板を曲げ成形して製作したものであり、両端を上方に折曲げた下金具１６と両端を下方に折曲げ更に上面を後述する如く形成した上金具１７とを嵌合することで構成され、下金具１６と上金具１７をスポット溶接等により一体化したものである。
【００２３】
第４図に示す係止ブロック１３では図１で示した実施例の係止ブロック１３と同形状に形成し、図５で示した係止ブロック１３では下降傾斜面１３ｃがなく、両端部がＲ形状となったものであり、又図６で示す係止ブロック１３は両端部に斜面が形成されたものであり、更に該図６で示されるものでは扉体２の全開位置で若干の動きを許容したものである。尚、係止ブロック１３は中実の金属ブロックから成形したものであってもよいことは言う迄もない。
【００２４】
図７に示す係止ブロック１３は前記平行部１３ｂを構成する平坦金具１８の両端にローラ１９を設けたものである。該ローラ１９は金属製であっても、合成樹脂製であってもよく、更に回転自在でも或は固定されていてもよい。尚、上述した実施例では、係止スプリング１４を上側、係止ブロック１３を下側に配置したが係止スプリング１４を下側、係止ブロック１３を上側に配置してもよいことは勿論である。
【００２５】
【発明の効果】
以上述べた如く本発明によれば、簡単な構成であり、又摩擦により効果的に勢いを減ずることができ、更に摩擦力の増減は係止ブロックの平行部、係止スプリングのバネ力により容易に調整でき、スライドドアのの規模、開閉条件に合わせて適正なスライドドアのロック装置を容易に提供することができるという優れた効果を発揮する。
【図面の簡単な説明】
【図１】本発明の一実施例を示す側面図である。
【図２】該実施例に於ける係止ブロックの側面図である。
【図３】該係止ブロックの平面図である。
【図４】本発明の他の実施例の側面図である。
【図５】本発明の更に他の実施例の側面図である。
【図６】本発明の更に他の実施例の側面図である。
【図７】本発明の更に他の実施例の側面図である。
【図８】従来例を具備したスライドドアの説明図である。
【図９】従来例の側面図である。
【符号の説明】
１      開閉レール
２      扉体
１３    係止ブロック
１３ｂ  平行部
１４    係止スプリング
１５    係止部
１６    下金具
１７    上金具
１８    平坦金具
１９    ローラ
【図１】
0003565602.tif 000002
【図２】
0003565602.tif 000003
【図３】
0003565602.tif 000004
【図４】
0003565602.tif 000005
【図５】
0003565602.tif 000006
【図６】
0003565602.tif 000007
【図７】
0003565602.tif 000008
【図８】
0003565602.tif 000009
【図９】
0003565602.tif 000010